(57)【要約】【課題】  放射性元素と水とを含んだ放射性物質に汚染された汚染物を貯槽タンク等の密閉保管体内に長期間洩水・洩出が少なく保管する汚染物の保管技術を提供する。【解決手段】  放射性物質を含んだ汚染物タンクから貯槽タンク１へ汚染物Ｌを送給する汚染物導入管１ａの途中に、汚染物の水量を加える水タンクとその投水パイプとバルブを備えた給水装置と、高分子吸水剤を所定量混入させる高分子吸水剤タンクとロータリーフィーダーと投入管とを備えた高分子吸水剤混入装置を設け、汚染物に適量な高分子吸水剤を混入させてゲル化する。【選択図】図１
2015049108.tif 000002
【特許請求の範囲】
【請求項１】
放射性物質と水とを含有した液体・泥状物又は土あるいは粉粒混合体の放射性物質の汚染物を貯槽タンク・容器又は防水性の袋体の密閉保管体に収容した後又は収容する直前に、高分子吸水剤を投入して、高分子吸水剤に水を吸水させて汚染物をゲル状又は流動がない半固化状態にして、密閉保管体の隙間・孔又は亀裂からの洩水・洩出を少なくした放射性物質の汚染物の一時保管方法。
【請求項２】
密閉保管体に収容する前又は収容後に汚染物体に所要量の水を投入して攪拌した後に、高分子吸水剤を投入する、請求項１記載の放射性物質の汚染物の一時保管方法。
【請求項３】
放射性元素と水とを含んだ汚染物を収容して保管する貯槽タンク・容器又は防水性の袋体の密閉保管体と、同密閉保管体内に汚染物を送給する汚染物導入管と、汚染物導入管の汚染物を密閉保管体に投入して収容させる直前の位置において、高分子吸水剤を汚染物導入管内に適量混入する高分子吸水剤フィーダーとからなる放射性物質の汚染物保管装置。
【請求項４】
高分子吸水剤フィーダーの位置から更に上流側位置に汚染物の水分量を調整する為の給水装置を汚染物導入管に設けた、請求項３記載の汚染物保管装置。
【発明の詳細な説明】
【技術分野】
【０００１】
本発明は、セシウム・ストロンチウム・放射性ヨウ素・ウラン等の放射性元素及び水を含んだ放射性物質の汚染物をタンク・容器・袋体等の密閉保管体に一時保管する場合に、保管中にこれらのタンク・容器・袋体の密閉保管体から洩出・洩水するのを防ぐ保管技術に関する。
【背景技術】
【０００２】
放射性元素及び水を含んだ液状・泥状・流動性の汚染物は、放射性元素を除去又は分離して放射性元素の最終処分するまで一時的にタンク・容器・袋体等の密閉保管体に隔離保管されている。放射性元素の汚染物の最終処分までは難しく、それまで長月数・長年月の間タンク・容器・袋体内に一時保管されている。
しかしながら、タンク・容器・袋体が設置頭初から、洩水し易い欠陥がある場合又は使用していると、汚染物の重さによって又は地震・地盤沈下等によりタンク・容器の変形・変位によってタンク壁の連結部に隙間を生じ、又は洩水止のパッキンが劣化し、あるいは変形変位によってタンク壁の一部破損が生じたりする等の原因で、液状・泥状の流動性が高い汚染物がタンク・容器外へ洩出・洩水することがある。放射性物質の外部への洩出・洩水は環境を著しく悪化させるもので、避けなくてはならないことであるため、それを避けるためにはタンク・容器・袋体の製造品質及び洩れ防止構造を精密にし、施工も耐久性の高いものにしなくてはならず、時間とコストがかかるものとなっていた。
又、放射性物質の汚染物を収容する容器内に、液体を吸収する吸収性あるセメント質材料を配置する技術が特許文献１で知られている。しかし、セメント質材料を使用すれば高価となり、又質量も大きくなり、更に容器の再使用が難しいという問題点がある。
【先行技術文献】
【特許文献】
【０００３】
【特許文献１】実開平５−４２１７４号公報
【発明の概要】
【発明が解決しようとする課題】
【０００４】
本発明が解決しようとする課題は、従来の問題点を解消し、放射性元素を含んだ汚染物を洩出・洩水することなく長期間タンク・容器・袋体等の密閉保管体に保管でき、放射能汚染を少なくできる方法及び装置を提供することにある。
更に、放射性物質の汚染物の洩出のない保管をコスト安に且つ迅速に行え、又それらを収容する密閉保管体の再使用も容易であるという汚染物の一時保管方法及び装置を提供することにある。
【課題を解決するための手段】
【０００５】
かかる課題を解決した本発明の構成は、
１）  放射性物質と水とを含有した液体・泥状物又は土あるいは粉粒混合体の放射性物質の汚染物を貯槽タンク・容器又は防水性の袋体の密閉保管体に収容した後又は収容する直前に、高分子吸水剤を投入して、高分子吸水剤に水を吸水させて汚染物をゲル状又は流動がない半固化状態にして、密閉保管体の隙間・孔又は亀裂からの洩水・洩出を少なくした放射性物質の汚染物の一時保管方法
２）  密閉保管体に収容する前又は収容後に汚染物体に所要量の水を投入して攪拌した後に、高分子吸水剤を投入する、前記１）記載の放射性物質の汚染物の一時保管方法
３）  放射性元素と水とを含んだ汚染物を収容して保管する貯槽タンク・容器又は防水性の袋体の密閉保管体と、同密閉保管体内に汚染物を送給する汚染物導入管と、汚染物導入管の汚染物を密閉保管体に投入して収容させる直前の位置において、高分子吸水剤を汚染物導入管内に適量混入する高分子吸水剤フィーダーとからなる放射性物質の汚染物保管装置
４）  高分子吸水剤フィーダーの位置から更に上流側位置に汚染物の水分量を調整する為の給水装置を汚染物導入管に設けた、前記３）記載の汚染物保管装置
にある。
【発明の効果】
【０００６】
本発明によれば、タンク・容器又は袋体等の密閉保管体に収容する前又は収容後に放射性元素と水を含む液状・泥状又は流動性がある状態の汚染物中に高分子吸水剤を投入することで、高分子吸水剤（高吸水性樹脂・吸水性ポリマー）が汚染物中の水を吸水して、高分子吸水剤（高吸水性樹脂・吸水性ポリマー）は汚染物をゲル状態に又は流動性がきわめて少ない半固化状態あるいは変形移動がほとんどしない固化状態にする。又、その流動性の低下の程度は水と高分子吸水剤とのモル比率で自在に調整できる。これによって、密閉保管体の壁に小さい隙間・孔・亀裂が生じていても、流動性がきわめて少ないので、そこからタンク・容器の外側に移動して洩出することがほとんどない。
よって、汚染物が洩出してその外側環境を放射性物質で汚染することを防ぐ。
【０００７】
尚、密閉保管体から汚染物の移動させるときは、水酸化ナトリウム、クエン酸等を密閉保管体内に投入すれば、高分子吸水剤は吸水した水を放出して、元の液体又は流動性のある状態に戻って、次の処理・作業の為に密閉保管体の外に容易に移動できる。
【図面の簡単な説明】
【０００８】
【図１】図１は実施例の汚染物保管装置の説明図である。
【発明を実施するための形態】
【０００９】
本発明の高分子吸水剤としては、アクリル酸・ビニルアルコール共重合体，アクリル酸重合体，ポリエチレン・オキサイド変成体，アクリル酸・アクリルアミド共重合体等の高吸水性高分子があり、又その吸水倍率は重量比で数十倍〜３００倍（純水でない液体に対して）程のものが使用される。
【実施例】
【００１０】
以下、本発明の実施例をもって説明する。本実施例では、セシウム等の放射性元素を含んだ液状の汚染物を貯槽タンクに投入する直前にアクリル酸重合体の高分子吸水剤（高吸水性ポリマー）を汚染物１ｋｇに対し、０．００３ｇ程の割合で投入した。この高吸水性ポリマーは、純水に対しては自重の５００倍程の吸水率を有する。貯槽タンクに投入直前に液状の汚染物中に上記高分子吸水剤が投入され、高分子吸水剤は汚染物と混合攪拌しながら貯槽タンク内に落流する。貯槽タンク内での汚染物は落下時の衝撃及び流れの反射・拡散によって汚染物と高分子吸水剤がよく攪拌混合され、高分子吸水剤は広く分散して吸水し、汚染物をゲル化又は流動性の少ない半固化状態とする方法及び装置例である。
【００１１】
図１は実施例に使用した貯槽タンクとその付属装置の図面である。
図中１は貯槽タンク，１ａは液状汚染物をタンク内へ送る汚染物導入管，１ｂは槽蓋，１ｂ１は放射能感知センサー、流動性検出センサー等を出入できるための蓋付の検査管，１ｃは液排出管，１ｃ１は排出の開閉及び排出量を制御する排出バルブ，１ｄは汚染物導入管１ａを挿入する貯槽タンク１の側壁の閉鎖蓋付の投入口，２は上記高分子吸水剤を収容した高分子吸水剤タンク，２ａはそのタンクの高分子吸水剤を汚染物導入管１ａに混入する投入管，２ｂは同投入管途中に設けた混入量を調整するロータリーフィーダー，３は汚染物タンク，３ａは汚染物投入管，４は水分量補充の為の水タンク，４ａは投水パイプ，４ｂは汚染物Ｌに混入する水量を調整及び開閉する電動流量弁である。
又、Ｌは放射性元素を含んだ液状の汚染物，Ｋはアクリル酸重合体の高分子吸水剤である。
【００１２】
この実施例では、セシウム等の放射性元素を含んだ汚染物Ｌは汚染物タンク３に貯えられ、次にそこから汚染物導入管１ａによって貯槽タンク１に移送される。
汚染物Ｌの水分がかなり少ない場合は、水タンク４から投水パイプ４ａを介して適量な水が加えられ、適切な水分濃度にすることもできるようになっている。
【００１３】
そして、投水パイプ４ａの下流側において、アクリル酸重合体の高分子吸水剤Ｋを高分子吸水剤タンク２の投入管２ａからロータリーフィーダー２ｂによって所定量汚染物導入管１ａに送り込む。汚染物Ｌと高分子吸水剤Ｋ及びこれらと水との混合・攪拌は汚染物導入管１ａ内でなされながら、そこから貯槽タンク１内に落下する際及び落下した衝撃・飛散によってなされる。これによって貯槽タンク１内に収容される液状汚染物はゲル乃至半固化状態となっていく。
【００１４】
汚染物はゲル乃至半固化状態となり、流動性を失う。これによって、貯槽タンク１に洩水するような隙間・孔・亀裂があっても、ゲル状の汚染物はそこから外部へ流出することはほとんどなく、放射性物質の洩出が防げる。これによって、汚染物を長年月、洩水なく保管できる。
【００１５】
貯槽タンク１内の汚染物Ｌのゲル状から更に流動性を少なくするには高分子吸水剤の量の比率を増大すれば、流動性がほとんどない半固化状態にすることができ、より洩出を少なくできる。
【００１６】
次に、貯水タンク内のゲル状又は半固化状態になった汚染物を液体に戻し、次の場所へ移送するには所定量の水酸化ナトリウム水溶液又はクエン酸溶液等の薬剤を貯水タンク内に投入すれば、高分子吸水剤が吸水していた水が分離され放出され、貯槽タンク１内の汚染物は通常の液状に戻って、液排出管１ｃによって所定の場所、後処理装置へ送ることができる。
【００１７】
貯槽タンク１がゲル状の汚染物で満杯となって長期間別の場所で保管する場合は、汚染物導入管１ａを閉鎖蓋付投入口１ｄから抜き出して、貯槽タンク１の投入口１ｄを閉鎖蓋で閉鎖した後、別の場所へ移動させる。そして、次の空の貯槽タンク１を配置し、その汚染物導入管１ａ先端を次の空貯槽タンク１の投入口１ｄに挿入すれば、汚染物を直ちに収容できるようになり、複数・多数の貯槽タンク１に放射性物質の汚染物をゲル状に収容して別場所で保管できる。
【産業上の利用可能性】
【００１８】
本発明は、放射性元素に高濃度に汚染された冷却水、あるいは除染作業で発生する放射性元素を含んだ汚染物のタンク・容器内又は袋内での一時保管方法として使用できる。
【符号の説明】
【００１９】
１    貯槽タンク
１ａ    汚染物導入管
１ｂ    槽蓋
１ｂ１    検査管
１ｃ    液排出管
１ｃ１    排出バルブ
１ｄ    閉鎖蓋付投入口
２    高分子吸水剤タンク
２ａ    投入管
２ｂ    ロータリーフィーダー
３    汚染物タンク
３ａ    汚染物投入管
４    水タンク
４ａ    投水パイプ
４ｂ    電動流量弁
Ｌ    汚染物
Ｋ    高分子吸水剤
【図１】
2015049108.tif 000003